【事件の表示】
　平成１１年特許願第　１５９３５号「ディスクカートリッジ及びディスクプレーヤ」拒絶査定に対する審判事件［平成１１年１１月１６日出願公開、特開平１１−３１７０３９］について、次のとおり審決する。
【結　論】
　本件審判の請求は、成り立たない。
【理　由】
１．手続の経緯
　本願は、平成１１年１月２５日の出願であって、平成１４年２月１５日付で拒絶査定がされ、これに対し、平成１４年３月２８日に拒絶査定に対する審判請求がされるとともに、平成１４年４月２５日付で手続補正がされたものである。
　
２．平成１４年４月２５日付の手続補正についての補正却下の決定
　[補正却下の決定の結論]
　　平成１４年４月２５日付の手続補正を却下する。
　[理由]
　（１）本件補正の内容
　平成１４年４月２５日付の手続補正（以下、「本件補正」という。）は、特許請求の範囲に関して、以下の通り補正するものである。
　
　　平成１３年１０月４日付手続補正の特許請求の範囲の記載である、
「【請求項１】　ディスクカートリッジ裏面の所定の位置に設けられた穴または溝に突起を嵌合させることで位置決めを行うカートリッジにおいて、
　ディスクカートリッジの裏面に位置決め穴を有する第１のカートリッジと、
前記第１のカートリッジと共通の外形寸法を有し、挿入方向と直交する方向に対して前記穴と同じ位置にカートリッジ前端面に開口する溝を有する第２のカートリッジの少なくとも２つの種類の形状を有するカートリッジ。
　【請求項２】　前記第１のカートリッジには第１の長さの誤挿入防止溝を設け、
前記第２のカートリッジには第１の長さより短い第２の長さの誤挿入防止溝を設けたことを特徴とする請求項１記載のカートリッジ。
　【請求項３】　前記突起と前記誤挿入防止溝に係合する誤挿入防止片とを有するカートリッジホルダーであって、
　　挿入時に前記第１のカートリッジの前面端に当接する突起と前記第２の長さの誤挿入防止片を有する第１のカートリッジホルダーと、
　　前記第１の長さの誤挿入防止片を有する第２のカートリッジホルダーと、
　挿入時に前記第１のカートリッジの前面端に当接しない形状の突起と前記第１の長さの誤挿入防止片を有する第３のカートリッジホルダーのいずれかを用いることで、前記第１のカートリッジと第２のカートリッジのいずれか一方または両方のカートリッジの挿入を選択的に許可することを特徴とするカートリッジホルダー。
　【請求項４】　前記カートリッジの前面に当接しない突起の形状はディスクカートリッジ挿入方向に向かって高さが低くなる傾斜面とすることを特徴とする請求項３記載のカートリッジホルダー。」を、
　
「【請求項１】　カートリッジ前端面に開口しない位置決め穴をカートリッジ裏面に有する第１のカートリッジと、当該第１のカートリッジと共通の外形寸法を有し挿入方向と直交する方向に対して前記穴と同じ位置にカートリッジ前端面に開口する溝を有する第２のカートリッジの挿入を選択的に許可するカートリッジホルダーであって、
　当該カートリッジホルダーは、位置決め突起を有するシャーシに回動自在に取り付けられ、当該シャーシと第１の所定の角度位置でカートリッジを挿入させ、
　　第１の形状の突起を用いたとき、第１のカートリッジ挿入時に前記突起がカートリッジ前面端に当接し、
　　第２の形状の突起を用いたとき、第１のカートリッジ挿入時に前記突起がカートリッジ前面端に当接せず、カートリッジ挿入後前記シャーシと第１の所定角度位置よりも小さい第２の所定角度の位置においてカートリッジの位置決めを行ない、
　　第２のカートリッジ挿入時に、前記突起が前記溝に係合することを特徴とするカートリッジホルダー。
　【請求項２】　前記第２の突起の形状はディスクカートリッジ挿入方向に向かって高さが低くなる傾斜面とすることを特徴とする請求項１記載のカートリッジホルダー。」と補正する。
　
　（２）補正の目的の適否
　上記補正事項は、請求項１について、補正前の請求項３から、「前記誤挿入防止溝に係合する誤挿入防止片」を削除するものである。
　上記補正事項は、特許請求の範囲の記載事項の一部を削除することにより、特許請求の範囲が拡張したことは明らかである。
　してみると、このような補正事項を含む本件補正は、特許法第１７条の２第４項第２号に規定する特許請求の範囲の減縮を目的とするものに該当しないばかりか、同条同項第１号に規定する請求項の削除、同条同項第３号に規定する誤記の訂正、同条同項第４号に規定する明りょうでない記載の釈明を目的とするもののいずれにも該当しない。
　
　（３）結論
　以上のとおりであるから、本件補正は、特許法第１７条の２第４項の規定に適合しないものであり、同法第１５９条第１項の規定により読み替えて準用する同法第５３条第１項の規定により却下すべきものである。
　
３．本願発明について
　平成１４年４月２５日付けの手続補正は上記のとおり却下されたので、本願の請求項１に係る発明（以下、同項記載の発明を「本願発明」という。）は、平成１３年１０月４日付けの手続補正により補正された明細書及び図面の記載からみて、その特許請求の範囲の請求項１に記載された事項により特定されるとおりのものである（記載事項については、上記２（１）欄の平成１３年１０月４日付け手続補正を参照。）。
　
　（１）引用例
　原査定の拒絶の理由に引用された刊行物である、特開平５−２０５４２３号公報（以下、「引用例」という）には、以下のように記載されている。
「【００２４】　上記ディスクカートリッジとしては、図９に示す記録再生兼用ディスクカートリッジと、図１０に示す再生専用ディスクカートリッジとが用いられる。」
「【００２８】　また、上記記録再生兼用カートリッジ１０２の下面側の主面部には、前後一対の位置決め孔１０８，１０９が穿設されている。これら位置決め孔１０８，１０９は、後述するディスク記録装置において位置決めピンが嵌入されることにより、上記記録再生兼用カートリッジ１０２を、該ディスク記録装置のディスク装着部に対して位置決めさせるようになされている。そして、この記録再生兼用カートリッジ１０２の下面側の主面部の前端側位置には、記録再生兼用標示部１０７が設けられている。この記録再生兼用標示部１０７は、ごく浅い深さを有して上記記録再生兼用カートリッジ１０２の主面部に形成された凹部である。」
「【００２９】　さらに、上記記録再生兼用カートリッジ１０２の一側縁部には、前端側より上記シャッタ部材１０５の中央部分に亘るシャッタ開放溝１１４が設けられている。上記ディスク記録装置においては、このシャッタ開放溝１１４にシャッタ開放ピンが前方側より挿入されることにより、上記シャッタ部材１０５は、上記記録再生兼用カートリッジ１０２の後方側にスライドされて、上記各開口部１０３，１０４を開蓋する。また、上記記録再生兼用カートリッジ１０２の上記一側縁部に対向する他方側の側縁部には、前端側より誤挿入防止溝１１３が設けられている。この誤挿入防止溝１１３には、上記ディスク記録装置において、誤挿入防止ピンが前方側より挿入される。
　【００３０】　一方、上記再生専用ディスクカートリッジは、再生専用ディスク１１０を再生専用カートリッジ１１１に回転可能に収納して構成されている。上記再生専用ディスク１１０は、透明な合成樹脂等よりなる円盤状のディスク基板と、このディスク基板の一方側の主面部に被着形成された金属材料よりなる反射層とを有して構成されている。この再生専用ディスク１１０は、上記記録再生兼用ディスク１０１と同様の大きさを有して構成されている。この再生専用ディスク１１０のディスク基板の一方側の主面部には、射出成形等の手段により微細な凹凸が形成されることによって、情報信号が記録されている。このディスク基板の中央部には、被チャッキング部１０６が設けられている。この被チャッキング部１０６は、上記記録再生兼用ディスク１０１の被チャッキング部１０６と同様に、上記ディスク基板に穿設された円形の透孔と、この透孔を閉蓋する金属板とから構成されている。」
「【００３３】　また、上記再生専用カートリッジ１１１には、上記記録再生兼用カートリッジ１０２と同様に、前後一対の位置決め孔１０８，１０９、シャッタ開放溝１１４及び誤挿入防止溝１１３が設けられている。
　【００３４】　そして、この再生専用カートリッジ１１１の下面側の主面部の前端側位置には、再生専用標示部１１２が設けられている。この再生専用標示部１１２は、上記記録再生兼用標示部１０７よりも深くなされて上記再生専用カートリッジ１１１の主面部に形成された凹部である。」
「【００３７】　そして、上記シャーシ１上には、上記ディスク装着部を構成する前後一対の位置決めピン１２，１３が植立されている。これら位置決めピン１２，１３は、先端側が縮径されて略々円錐状に形成されている。されら位置決めピン１２，１３は、上記シャーシ１上に装着される上記各ディスクカートリッジの位置決め孔１０９，１０８に対応して嵌入し、上記シャーシ１に対する上記各カートリッジ１０２，１１１の位置決めを行う。
【００３８】
　上記シャーシ１には、光学ピックアップ装置６が、図１中矢印Ｔで示すように、上記スピンドルモータ２に接離する方向に移動操作可能に取付けられている。」
　
　上記の記載及び第９，１０図には、記録再生兼用標示部の凹部１０１と再生専用標示部の凹部１０７は前側縁に開口する凹部の形状で記載されていることを総合すると、上記引用例には、
　「下面側の主面部に穿設された前後一対の位置決めに孔に位置決めピンが嵌入して位置決めを行う記録再生兼用カートリッジと再生専用カートリッジにおいて、
　記録再生兼用カートリッジの下面側の主面部の前端側位置に記録再生兼用標示部のごく浅い深さの前側縁に開口する凹部を有する記録再生兼用カートリッジと、
　記録再生兼用カートリッジと同様の大きさを有し、再生専用カートリッジの下面側の主面部の前端側位置に記録再生兼用標示部よりも深く前側縁に開口する凹部を有する再生専用ディスクカートリッジ。」の発明（以下、「引用発明」という。）が記載されていると認められる。
　
　（２）対比・判断
　本願の特許請求の範囲の請求項１に記載された発明（以下、「本願発明」という。）と引用発明とを対比すると、
　引用発明の「位置決め孔」「記録再生兼用カートリッジ」「再生専用カートリッジ」「再生専用カートリッジの前側縁」は、
　本願発明の「位置決め穴」「第１カートリッジ」「第２カートリッジ」「カートリッジ前端面（第２カートリッジ）」にそれぞれ相当するものであるから、
　両者は、
「ディスクカートリッジ裏面の所定の位置に設けられた穴または溝に突起を嵌合させることで位置決めを行うカートリッジにおいて、
　ディスクカートリッジの裏面に位置決め穴を有する第１のカートリッジと、
　前記第１のカートリッジと共通の外形寸法を有し、挿入方向と直交する方向に対してカートリッジ前端面に開口する形状を有する第２のカートリッジの少なくとも２つの種類の形状を有するカートリッジ。」
　である点で一致し、以下の点で相違するものと認められる。
　
　カートリッジ前端面に開口する形状が、本願発明では位置決め穴と同じ位置の溝であるのに対して、引用例の発明では位置決め穴と異なる位置にある凹部である点。
　
　そこで、上記相違点について検討してみると、挿入方向と同方向の溝はディスクカートリッジの底面に形成された形状としては周知であり（特開平４−２８９５７号公報、特開平５−２２５７４３号公報等参照）、また上記周知例の特開平５−２２５７４３号公報には位置決め孔がカートリッジの挿入端縁部に達する溝状の孔として形成されていることを鑑みると、引用発明において、再生専用カートリッジの前側縁（前端面）に開口する凹部を、位置決め孔（位置決め穴）と同じ位置に溝の形状に変えることは、当業者が容易に推考できると認められる。
　そして、本願発明の作用効果についても、引用発明および上記周知の技術から当業者の予測し得る範囲内のものであって、格別なものとはいえない。
　
　（３）むすび
　以上のとおりであるので、本願発明は、引用例に記載された発明および周知技術に基いて、当業者が容易に発明をすることができたものであるから、特許法第２９条第２項の規定により特許を受けることができない。
　よって、結論のとおり審決する。